(57)【要約】【課題】携帯電話を支持すると共に、その他の支持装置に接続することができる携帯機器ケース固着保護構造を提供する。【解決手段】  携帯機器ケース固着保護構造は、ケース１及び螺設ベース２を備える。ケース１は、携帯電話ケースの本体であり、携帯電話をカバーするケース本体１１と、ケース本体１１に設けられた内溝１２と、ケース本体の側部に設けられた嵌着孔１３と、嵌着孔１３の側辺に設けられた孔径の小さい移動孔１４とを有する。螺設ベース２は、ケースに取り付ける可動可能な部材であり、螺設本体２１と、螺設本体２１上に設けられた移動ブロック２３と、移動ブロック２３上に設けられ、幅が移動孔１４の孔径より大きい嵌着ブロック２４と、螺設本体２１の側面に設けられ、螺設ベース２及びケース１を支持するベース部２５とを有する。【選択図】図１
0003175788.tif 000002
【実用新案登録請求の範囲】
【請求項１】
ケース及び螺設ベースを備えた携帯機器ケース固着保護構造であって、
前記ケースは、携帯電話ケースの本体であり、携帯電話をカバーするケース本体と、前記ケース本体に設けられた内溝と、前記ケース本体の側部に設けられた嵌着孔と、前記嵌着孔の側辺に設けられた孔径の小さい移動孔とを有し、前記嵌着孔には前記螺設ベースの嵌着ブロックが挿入され、前記移動孔には前記螺設ベースの移動ブロックが挿入され、
前記螺設ベースは、前記ケースに取り付ける可動可能な部材であり、螺設本体と、前記螺設本体上に設けられた前記移動ブロックと、前記移動ブロック上に設けられ、幅が前記移動孔の孔径より大きい前記嵌着ブロックと、前記螺設本体の側面に設けられ、前記螺設ベース及び前記ケースを支持するベース部とを有し、前記嵌着ブロックは前記嵌着孔に挿入され、前記移動ブロックは前記移動孔内を移動することを特徴とする携帯機器ケース固着保護構造。
【請求項２】
前記ケースの前記移動孔は、前記ケース本体の中心部に位置することを特徴とする請求項１に記載の携帯機器ケース固着保護構造。
【請求項３】
前記ケースの前記移動孔の末端部には、位置規制端部が設けられることを特徴とする請求項１に記載の携帯機器ケース固着保護構造。
【請求項４】
前記ケースの前記移動孔の内側面には外側に向かって凹部が設けられ、前記凹部の末端部には位置規制端部が設けられることを特徴とする請求項１に記載の携帯機器ケース固着保護構造。
【請求項５】
前記螺設ベースの前記螺設本体の側面には、溝径が前記ケースの前記ケース本体の幅と同じである案内溝が設けられ、前記ケースに前記螺設ベースが取り付けられると、前記案内溝が前記ケース本体を覆うことを特徴とする請求項１に記載の携帯機器ケース固着保護構造。
【請求項６】
前記螺設ベースの前記移動ブロックは、前記螺設本体の中心部に位置することを特徴とする請求項１に記載の携帯機器ケース固着保護構造。
【請求項７】
前記螺設ベースの前記ベース部は平面であることを特徴とする請求項１に記載の携帯機器ケース固着保護構造。
【請求項８】
前記螺設ベースの前記ベース部には螺設孔が設けられることを特徴とする請求項１に記載の携帯機器ケース固着保護構造。
【請求項９】
前記螺設ベースの前記ベース部に設けられた前記螺設孔はネジ孔であり、ボルトにより、外付けの支持装置が前記螺設ベースに接続されることを特徴とする請求項８に記載の携帯機器ケース固着保護構造。
【請求項１０】
前記螺設孔に接続される前記支持装置は、脚フレーム又は自動車若しくは自動二輪車の固定台であることを特徴とする請求項９に記載の携帯機器ケース固着保護構造。
【考案の詳細な説明】
【技術分野】
【０００１】
本考案は、携帯機器ケース固着保護構造に関するものであり、更に詳しくは、携帯電話に取り付けるのに適した携帯機器ケース固着保護構造に関するものである。
【背景技術】
【０００２】
従来の携帯電話の保護ケース、特にｉＰｈｏｎｅ４（登録商標）を保護する硬質の保護ケースは、背面保護板と、背面保護板の左側に接続された左保護板と、背面保護板の右側に接続された右保護板とを有する。背面保護板は、上端縁に、折り曲げられて設けられた１つ又は２つ以上の上部突出部を有し、下端縁に、折り曲げられて設けられた１つ又は２つ以上の下部突出部を有する。携帯電話に保護ケースを取り付けると、背面が背面保護板によりカバーされ、両側面が左右の保護板によりカバーされる。しかし、上述した「携帯電話の保護ケース」は、携帯電話を保護する機能しか持たず、携帯電話の機能を高めることができない。
【０００３】
かかる状況下において、例えば、特開２００２-５８５１８号公報（以下、「特許文献１」という。）には、ケース本体に凹設され、棒状の携帯電話を収納するための凹部と、凹部の開口縁部に突設され、携帯電話のボタン操作部及び表示窓以外の部分に係合する係合片と、係合片と凹部の内面に配設され携帯電話を表裏から挟持するクッション材とを有する携帯電話保護ケースが記載されている。しかし、携帯電話の機能を増加させるような点については開示がない。
【特許文献１】特開２００２-５８５１８号公報
【考案の概要】
【考案が解決しようとする課題】
【０００４】
本考案の課題は、携帯機器、特に携帯電話に取り付けられ、携帯機器を保護するばかりでなく、携帯機器を支持し、又はその他の支持装置に接続することができる携帯機器ケース固着保護構造を提供することにある。
【課題を解決するための手段】
【０００５】
そこで、本考案者は、前記の本考案の課題を解決するために鋭意検討を重ねた結果、後述の如く、携帯機器の保護のための固定部材を設けると共に、該固定部材に接続し、他の支持装置を結合可能な構成とすることにより、有用な携帯機器の固定保設構造が得られることに着目し、かかる知見に基いて本考案に想到するに至った。
【０００６】
かくして、上記課題を解決するために、本考案によれば、ケース及び螺設ベースを備えた携帯機器ケース固着保護構造であって、
前記ケースは、携帯電話ケースの本体であり、携帯電話をカバーするケース本体と、前記ケース本体に設けられた内溝と、前記ケース本体の側部に設けられた嵌着孔と、前記嵌着孔の側辺に設けられた孔径の小さい移動孔と、を有し、前記嵌着孔には前記螺設ベースの嵌着ブロックが挿入され、前記移動孔には前記螺設ベースの移動ブロックが挿入され、    前記螺設ベースは、前記ケースに取り付けられる可動可能な部材であり、螺設本体と、前記螺設本体上に設けられた前記移動ブロックと、前記移動ブロック上に設けられ、幅が前記移動孔の孔径より大きい前記嵌着ブロックと、前記螺設本体の側面に設けられ、前記螺設ベース及び前記ケースを支持するベース部と、を有し、前記嵌着ブロックは前記嵌着孔に挿入され、前記移動ブロックは前記移動孔内を移動することを特徴とする携帯機器ケース固着保護構造
が提供される。
【０００７】
前記ケースの前記移動孔は、前記ケース本体の中心部に位置することが好ましい。
【０００８】
前記ケースの前記移動孔の末端部には、位置規制端部が設けられることが好ましい。
【０００９】
前記ケースの前記移動孔の内側面には外側に向かって凹部が設けられ、前記凹部の末端部には位置規制端部が設けられることが好ましい。
【００１０】
前記螺設ベースの前記螺設本体の側面には、溝径が前記ケースの前記ケース本体の幅と同じである案内溝が設けられ、前記ケースに前記螺設ベースが取り付けられると、前記案内溝が前記ケース本体を覆うことが好ましい。
【００１１】
前記螺設ベースの前記移動ブロックは、前記螺設本体の中心部に位置することが好ましい。
【００１２】
前記螺設ベースの前記ベース部は平面であることが好ましい。
【００１３】
前記螺設ベースの前記ベース部には螺設孔が設けられることが好ましい。
【００１４】
前記螺設ベースの前記ベース部に設けられた前記螺設孔はネジ孔であり、ボルトにより、外付けの支持装置が前記螺設ベースに接続されることが好ましい。
【００１５】
前記螺設孔に接続される前記支持装置は、脚フレーム又は自動車・自動二輪車の固定台であることが好ましい。
【考案の効果】
【００１６】
本考案の携帯機器ケース固着保護構造は、携帯電話に取り付けられ、携帯電話を支持し、又はその他の支持装置に接続することができる。
【図面の簡単な説明】
【００１７】
【図１】本考案の一実施形態による携帯機器ケース固着保護構造のケースに螺設ベースを取り付ける状態を示す斜視図である。
【図２】本考案の一実施形態による携帯機器ケース固着保護構造のケースに螺設ベースを取り付けた状態を示す断面図である。
【図３】本考案の一実施形態による携帯機器ケース固着保護構造のケースに螺設ベースを取り付けた状態を示す断面図である。
【図４】本考案の一実施形態による携帯機器ケース固着保護構造のケースに螺設ベースを取り付けた状態を示す斜視図である。
【図５】本考案の一実施形態による携帯機器ケース固着保護構造の螺設ベースにボルトを螺合する状態を示す斜視図である。
【図６】本考案の一実施形態による携帯機器ケース固着保護構造の螺設ベースに支持装置を接続した状態を示す断面図である。
【図７】本考案の一実施形態による携帯機器ケース固着保護構造のケースから螺設ベースを取り外す状態を示す断面図である。
【考案を実施するための最良の形態】
【００１８】
以下、本考案の実施形態について図面に基づいて説明する。なお、これによって本考案が限定されるものではない。
【００１９】
図１を参照する。図１に示すように、本考案の一実施形態による携帯機器ケース固着保護構造は、少なくともケース１及び螺設ベース２から構成される。
【００２０】
ケース１は、携帯電話ケースの本体であり、ケース本体１１、内溝１２、嵌着孔１３、移動孔１４、凹部１５及び位置規制端部１６を有する。ケース本体１１は、一般の携帯電話をカバーすることができ、内溝１２と、側部に設けられた嵌着孔１３とを有する。嵌着孔１３の側辺には、孔径が小さい移動孔１４が設けられている。移動孔１４は、ケース本体１１の中心部に位置する。移動孔１４の内側面には、外側に向かって凹部１５が設けられている。凹部１５の末端部には位置規制端部１６が設けられている。螺設ベース２の嵌着ブロック２４は、嵌着孔１３に挿入された後、凹部１５が設けられた方向にのみ移動し、位置規制端部１６により位置規制される。
【００２１】
螺設ベース２は、ケース１に取り付けられる可動可能な部材であり、螺設本体２１、案内溝２２、移動ブロック２３、嵌着ブロック２４、ベース部２５及び螺設孔２６を有する。螺設本体２１は、矩形状、多角形状、円形状、星形状、ハート形状又はその他の幾何学形状をなし、側面に設けられた案内溝２２を有する。案内溝２２の溝径は、ケース１のケース本体１１の幅と同じであるため、案内溝２２によりケース本体１１を覆うことができる。案内溝２２上には移動ブロック２３が設けられている。移動ブロック２３は、螺設本体２１の中心部に位置し、嵌着ブロック２４を有する。嵌着ブロック２４の幅は、移動孔１４の孔径より大きい。嵌着ブロック２４が嵌着孔１３に挿入されると、移動ブロック２３は移動孔１４内で移動し、嵌着ブロック２４は凹部１５上で移動する。螺設本体２１の案内溝２２と反対の側面にはベース部２５が設けられている。ベース部２５は、側面積が大きい平面でもよく、螺設ベース２及びケース１を支持する。ベース部２５には螺設孔２６が設けられている。螺設孔２６に螺合されるボルトにより、螺設ベース２にその他の支持部材を接続して使用することができる。
【００２２】
図２を参照する。図２に示すように、本考案の一実施形態による携帯機器ケース固着保護構造のケース１に嵌着ブロック２４を取り付ける際、螺設ベース２の嵌着ブロック２４をケース１の嵌着孔１３に対応させて挿入する。移動ブロック２３を移動孔１４に沿って位置規制端部１６まで移動させ、図３に示すように、嵌着ブロック２４を凹部１５に沿って位置規制端部１６まで移動させると、ケース１に嵌着ブロック２４を取り付けることができる（図４参照）。
【００２３】
図４を参照する。図４に示すように、本考案の一実施形態による携帯機器ケース固着保護構造のケース１に螺設ベース２を取り付けると、ユーザは、螺設ベース２のベース部２５を介してケース１内の携帯電話を平面上に置き、写真を撮ったり映像を録画したりすることができる。このように、携帯電話を手で持ったり支持するものを用意したりしなくても、便利に使用することができる。
【００２４】
図５を参照する。図５に示すように、本考案の一実施形態による携帯機器ケース固着保護構造は、螺設ベース２のベース部２５に設けられた螺設孔２６を介して、ボルト３により、外付けの支持装置４を接続して使用することができる（図６参照）。支持装置４は、脚フレーム、自動車・自動二輪車の固定台などである。携帯電話と支持装置４とが効果的に接続されると、屋外で写真を撮ったり映像を録画したり、自動車・自動二輪車に接続させてカーナビゲーション、ドライブレコードなどの機能を発揮させることができる。このように、携帯電話の多機能性をより効果的に発揮したり、利便性及び利用価値を高めることができる。
【００２５】
図７を参照する。図７に示すように、本考案の一実施形態による携帯機器ケース固着保護構造のケース１から螺設ベース２を取り外す際、螺設ベース２の移動ブロック２３を移動孔１４に沿って嵌着孔１３まで移動させ、嵌着ブロック２４を凹部１５に沿って嵌着孔１３まで移動させる。嵌着孔１３の側部には、凹部１５が設けられていないため、嵌着ブロック２４は嵌着孔１３まで移動すると、それ以上移動することができない。これにより、嵌着ブロック２４を嵌着孔１３から直接取り出し、螺設ベース２をケース１から取り外すことができる。
【００２６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  ケース
２  螺設ベース
３  ボルト
４  支持装置
１１  ケース本体
１２  内溝
１３  嵌着孔
１４  移動孔
１５  凹部
１６  位置規制端部
２１  螺設本体
２２  案内溝
２３  移動ブロック
２４  嵌着ブロック
２５  ベース部
２６  螺設孔
【図１】
0003175788.tif 000003
【図２】
0003175788.tif 000004
【図３】
0003175788.tif 000005
【図４】
0003175788.tif 000006
【図５】
0003175788.tif 000007
【図６】
0003175788.tif 000008
【図７】
0003175788.tif 000009